(57)【要約】【課題】  利用しやすい深さのプールに調節でき、またプール底の海洋生物の排除作業等が容易となるようにプール底が浮沈可能な構造の水上プールを提供することを目的とする。【解決手段】プール底床部４に給排気により浮力調整できる浮沈フロート１３から成る浮沈式ユニット１４を配備させて、通常のフロート９よりなるプール枠部１に対してプール底床部が浮沈可能な水上プール２とする。また弾性係留索などの衝撃緩衝材７でプール底床部をプール枠部の内側領域５に吊り下げ支持しかつその周りに網状体６を配設することにより、プール底床部の沈降度に応じて垂れ下がる網状体で外洋から保護した安全な遊泳域８を形成する。また波浪によるプール底床部とプール枠部との揺動位相差が上記衝撃緩衝材にて吸収され耐久性が向上すると共に、プール底床部の浮上状態時では、容易に床裏面の付着海洋生物の除去等が行え、メンテナンス作業なども捗るようにする。【選択図】    図３
2005090098.tif 000002
【特許請求の範囲】
【請求項１】
支持フレームに複数のフロートが支持されて構成された浮力体ユニットを複数個、枠状に連結すると共に上記支持フレーム上にデッキ面を形成してなるプール枠部と、
このプール枠部の内側領域に設けられ、上記浮力体ユニットと、フロート本体の上面部に給排気口バルブを有し下面部に給排水口を有して給排気に伴う水の出入りにて浮力調整される複数の浮沈フロートを支持フレームに支持してなる浮沈式ユニットとで構成されると共にそれら両ユニット上に床を敷設したプール底床部と、このプール底床部を囲繞し上記プール枠部内縁との間に配置された網状体とよりなり、前記プール底床部がプール枠部に対し沈降度合いを調整整自在に支持されてなることを特徴とする水上プール。
【請求項２】
上記プール底床部を上記プール枠部に弾性係留索等の衝撃緩衝材で支持したことを特徴とする上記請求項１に記載の水上プール。
【発明の詳細な説明】
【技術分野】
【０００１】
本発明は、海など水上に浮遊設置させて、遊泳に使用することができる水上プールに関する。
【背景技術】
【０００２】
通常、遊泳等を楽しむ場合、陸上に設置されたプールや海浜等を利用することが多い。しかし、陸上に設置されたプールでは自然環境下での楽しみに欠けるところがある。
一方、海浜等を利用する場合でも、水深等の問題で児童等の遊泳に適しない場合がある。また、クラゲ等の被害に遭う場合もある。
【０００３】
これらの問題に対処するため、例えば特許文献１に示される構造の水上プールが提案されている。この公報に開示の構造は、浮力体ユニットを枠状に連結してプール枠とし、このプール枠から網状体の側壁部および平板状の底板部を吊支して水浴部を構成した水上プールである。
【特許文献１】特開平６−２８０４０７号公報
【発明の開示】
【発明が解決しようとする課題】
【０００４】
上記特許文献にかかる水上プールでは、底床部が常に水中にあるため底に海洋生物が付着し、これに利用者が触れたりして負傷することが考えられる。またプール枠と底床部の揺動の位相差が大きくなると、利用者の安全性および構造体の耐久性が損なわれる。
【０００５】
本発明は、このような事情に鑑みなされたものであり、利用者が快適、かつ安全に遊泳等を楽しむことができ、またメンテナンス作業等の負担を軽減することのできる水上プールを提供するものである。
【課題を解決するための手段】
【０００６】
請求項１に記載の水上プールは、支持フレームに複数のフロートが支持されて構成された浮力体ユニットを複数個、枠状に連結すると共に上記支持フレーム上にデッキ面を形成してなるプール枠部と、このプール枠部の内側領域に設けられ、上記浮力ユニットと、フロート本体の上面部に給排気口バルブを有し下面部に給排水口を有して給排気に伴う水の出入りにて浮力調整される複数の浮沈フロートを支持フレームに支持してなる浮沈式ユニットとで構成されると共にそれら両ユニット上に床を敷設したプール底床部と、このプール底床部を囲繞し上記プール枠部内縁との間に配置された網状体とよりなり、前記プール底床部がプール枠部に対し沈降度合いを調整整自在に支持されてなるものである。
【０００７】
請求項２に記載の水上プールは、プール底床部を上記プール枠部に弾性係留索等の衝撃緩衝材で支持したものである。
【発明の効果】
【０００８】
請求項１に係る発明によれば、水上プールの底床部が浮沈式ユニットで構成され、底床部を容易に浮沈させることができるので、未使用時に底床部を浮上させておくことにより、底床部への海洋生物の付着を防止することができると共に、底床部のメンテナンス作業等が容易となり、耐久性の向上に寄与する。
【０００９】
また周りが網状体で囲まれ安全な遊泳域は、浮沈自在なプール底床部により深さを自由に変更できるので、利用者に子供など身長が低い者が多い場合には浅くし、大人などの利用が多いときは深めに設定するなど適切な仕様に速やかに対応でき、安全かつ快適に楽しめる水上プールを海上に容易に設置することができる。
【００１０】
請求項２の発明によれば、プール底床部をプール枠部に弾性係留索等の衝撃緩衝材を用いて支持させたので、波浪等によるプール枠部と底床部の揺動による急激な位相差は、互いの自由な動きにより吸収され、衝撃力等の発生が抑制される。これにより、利用者の安全が図られ、また構造体の耐久性を向上させることができる。
【発明を実施するための最良の形態】
【００１１】
以下、添付図面を参照しながら、本発明を実施するための最良の形態について説明する
【００１２】
１は水上プール２の本体枠を構成するプール枠部で、該プール枠部１の上面に床材が敷設されてデッキ３が形成されている。４は上記プール枠部１の内側領域５に形成されたプール底床部で上下に浮沈可能と設けられている。該プール底床部４の周囲４方には、図３に示すように、網状体６がその上部を上記デッキ３の内側周縁とつながれて張り巡らされている。  またプール底床部４はその周辺部の所定の数カ所で弾性係留索等の衝撃緩衝材７を有した支持部材７Ａにより、プール枠部１のデッキ３下面に繋ぎ止められ、吊り下げ支持されている。  衝撃緩衝部材７として、高弾性ゴム芯を高強度アラミド繊維で補強し、その周囲を耐候性ゴムで補強した弾性係留索が使用できる。
【００１３】
したがって、上記プール底床部４が、衝撃緩衝材７を弾性的に伸長させながら沈下状態に支えられるとき、図３に示すように吊り下がるように張るこの網状体６によって、その内側領域５が外洋と隔離された安全に遊泳することのできる遊泳域８とされる。また衝撃緩衝材７を介して互いに弾性的に接続されたプール底床部４とプール枠部１とは互いに上下左右に移動の自由度があるので、波浪によりプール枠部１とプール底床部４との揺動の位相差が大きくなっても、その位相差は吸収され、両者の強い衝突は避けられ、またプール底床部４の大きな揺らぎも起きない。
【００１４】
ここで上記プール枠部１は、複数個のフロート９にて形成された浮力体ユニット１０を複数個連結せしめて構成されている。浮力体ユニット１０は、例えば６個のフロート９を３個ずつ等間隔に横２列に配設して支持フレーム１１に支持固定して構成されている。上記フロート９は、図６示すように両端面が断面円弧状に膨出した円筒中空体よりなるフロート本体であり、その円筒体９Ａ部分には適当な間隔で円周状に溝１２が形成されている。この溝１２はフロート本体の形状を補強すると共に、支持フレーム１１に固定するに際しワイヤーを通すためのものである。
【００１５】
プール枠部１は、これら浮力体ユニット１０を４組連結した浮力体ユニット列と３組連結した浮力体ユニット列を４辺形に組み付けその各コーナー部を連結固定することにより形成される。なお浮力体ユニット１０同士の連結は、その接合部を溶接あるいはボルト締めなど適宜な結合手段にて行うことができる。
【００１６】
一方、プール底床部４は、上記プール枠部１を形成する上記フロート９と同じフロートからなる浮力ユニット体１０のユニット列と、浮力を調整することができる複数個の浮沈フロート１３より成る浮沈式ユニット１４のユニット列とを交互に並設して形成されている。
【００１７】
すなわち浮沈フロート１３は、上記浮力体ユニット１０のフロート９より一回り大きい円筒中空体のフロート本体１３Ａより形成され、フロート本体１３Ａの両端面は同じように断面円弧状に膨出し、かつ図７の（ａ），（ｂ）等に示すようにその上面部に給排気バルブ１５が設けられていると共に、その下面部には海水が出入りする給排水口１６が形成されている。この給排気バルブ１５からの給排気動作により、給排水口１６より海水が出入りし、浮沈フロート１３内の空気量が増減して浮力が調整される。
【００１８】
浮沈式ユニット１４は、上記浮沈フロート１３を４個使用し、図５に示すように給排気バルブ１５を上方にして２個ずづ２列に配設して支持フレーム１７に支持固定して形成されている。１８は、上記４個の各浮沈フロート１３に給排気させる共用の給排気バルブで、デッキ３（図１）上に配置されたコンプレッサーＣ（図１）に共用の給排気ホース２０を介してつながっている。上記給排気バルブ１８からはこれら４個の各浮沈フロート１３へ分岐給排気管２１が伸び、各浮沈フロート１３の給排気バルブ１５に着脱自在に配管接続されている。
【００１９】
したがって、海洋上で浮沈フロート１３に対して給排気バルブ１５を開き、コンプレッサーＣを介して浮沈フロート１３内の空気を抜けば、給排水口１６から同時に海水が浮沈フロート１３内に侵入し浮力が減少する。逆に給気動作させると浮沈フロート１３内に送り込まれた空気により、浮沈フロート１３内の海水が給排水口１６から海中に排出され浮沈フロート１３内の空気量が増えて浮力が増す。こうしてコンプレッサー１９にてこれら４つの浮沈フロート１３に対して均等な給排気を行なわせ、浮力を調整することができる。浮沈フロート１３への給気動作後は給排気バルブ１５は閉じられ、各浮沈フロート１３は密閉状態とされる。
【００２０】
従って図１に示すように、上記構成の浮沈式ユニット１４を４個横一列に連結した浮沈式ユニット列を、横３列に配列した浮力体ユニット列の間に２列分配設して、相互に連結固定する。そしてそれらユニット全体の上面に床材２５を敷設する。これにより一様に上面がフラットな長方形状をしたステージ構造のプール底床部４が形成される。
【００２１】
浮沈式ユニット１４の浮沈フロート１３への給排気量の加減により浮力が調整されて、プール底床部４の沈降度合いが変化し、水上プール２の深さ調整が行える。
【００２２】
なお２２および２３は、それぞれプール枠部１およびプール底床部４を海底のアンカー（図示せず）につなぎ止める係留索で、これにより水上プール２は所定の海域に浮遊設置維持される。
【００２３】
次に上記構成の水上プール２の作動（利用方法）について説明する。プール枠部１は、図２，３，４に示すように、その下部のフロート９が海面Ｓ上に浮び海面Ｓ上に浮遊した状態にある。ここで排気動作させて、プール底床部４の浮沈式ユニット１４の浮沈フロート１３から空気を抜くと、同時に海水が給水口１６から浮沈フロート１３内に侵入し、浮沈フロート１３自体の重量が増し（浮力は減じる）沈下力が生じる。浮沈式ユニット１４の全浮沈フロート１３による沈下力の方が、浮力体ユニット１０の全フロート９による浮力より大きくなると、図３のように、プール底床部４は海中に沈む。沈む深さは、浮沈フロート１３から排気する空気量で自在に調整できる。こうして適宜な深さにプール底床部４が沈んで、また周囲に網状体６が垂れ下がるようになるので、この網状体６とプール底床部４とで囲まれた領域は、外海とは隔離され利用者が安全に遊泳したりすることのできる遊泳域８となる。こうして利用者を外洋から保護し安心してかつ快適に遊泳できる水上プール２が作られる。
【００２４】
またコンプレッサーＣを給気動作させて、プール底床部４の浮沈式ユニット１４の浮沈フロート９に空気を送り込むと、海水が給排水口１６から排出し、浮沈フロート１３内の空気量が増え浮力が増す。この浮沈フロート１３による浮力と浮力体ユニット１０のフロート９による浮力とでプール底床部４に及ぼす浮力が増え、プール底床部４が浮き上がるようになる。そして図４のように、プール底床部４が海面Ｓ位置と同じ状態になった時は、回りをプール枠部１で取り囲まれた広くて平たいステージが海面Ｓ上に作られるので、利用者はその上で寝そべったり、歩いたりすることが自由にできる。また催しもののステージとして使用できる。またデッキ３との段差も小さいので、デッキ３とプール低床部４との間の移りも楽に行えると共に、プール底床部４より一段高く回りに存在するこのプール枠部１で、プール底床部４に居る利用者が海へ落下したりしないよう危険も防止され、安全性が保たれる。さらにプールとして使用しない時期には、底床部４を浮上させ大気中にさらしておくことにより、海洋生物の付着を防ぐことができる。
【００２５】
また波浪によりプール枠部１とプール底床部４とが揺動し、両者に大きな位相差が生じても、プール底床部４とプール枠部１とは衝撃緩衝材７を介して弾性的に接続されているため、互いは自由に上下左右に移動しその位相差は吸収されようになり、両者の衝突やプール底床部４の大きな揺らぎは起きない。これにより、水上プール２に対する過度な外力は抑制軽減され、構造の耐久性を向上できる。また浮上させてプール底床部４の底が海面Ｓ近くにすることができるので、底床部４に付着している海洋生物の除去が容易になり、さらにプール底床部４上面の清掃なども容易に行えるので、水上プール２のメンテナンス作業なども捗り、能率的に管理維持することができる。
【図面の簡単な説明】
【００２６】
【図１】本発明に係る水上プールの平面図である。
【図２】水上プールの側面図である。
【図３】プール底床部を所要の深さに調節設定し網状体で囲まれた安全な遊泳域が形成されるようにした場合の水上プールの側面図である。
【図４】プール底床部を浮上させ海面上にステージを作るようにした場合の水上プールの側面図である。
【図５】プール底床部を構成する浮沈式ユニットの構成図である。
【図６】浮力ユニットを構成するフロートの平面図(a)と正面図(b)と右側面図(c)である。
【図７】浮沈式ユニットを構成する浮沈フロートの平面図(a)と正面図(b)と右側面図(c)である。
【符号の説明】
【００２７】
１    プール枠部
２    水上プール
３    デッキ
４    プール底床部
５    内側領域
６    網状体
７    衝撃緩衝材
８    遊泳域
９    フロート
１０  浮力体ユニット
１１  支持フレーム
１３  浮沈フロート
１４  浮沈式ユニット
１５  給排気バルブ
１６  給排水口
１７  支持フレーム
１８  共用の給排気バルブ
【図１】
2005090098.tif 000003
【図２】
2005090098.tif 000004
【図３】
2005090098.tif 000005
【図４】
2005090098.tif 000006
【図５】
2005090098.tif 000007
【図６】
2005090098.tif 000008
【図７】
2005090098.tif 000009